(57)【要約】【課題】  フレームやガイドレールの変形、摩耗等の経年変化に影響されず、簡単、かつ短時間に各構成体を据え付ける芯出しを行うコンベアの芯出し冶具を提供することにある。【解決手段】  乗客コンベアのフレーム１又はガイドレール間に設置される上階側駆動軸３及び下階側従動軸の少なくとも一方の軸の両端部を抱え込みながら、駆動軸上部中央に向かって冶具本体フレーム９を立設し、この冶具本体フレームに上板１０を支持する。この上板には左右スライド機構２１及び上下スライド機構２６を介して水平器設置台２５が取付けられ、この水平器設置台２５にはレーザー水平器１１が設置されている。このレーザー水平器１１から放射されるレーザー光の左右・上下の位置調整は前記スライド機構をスライドさせて設定でき、ひいては所定の方向にレーザー光を放射可能とし、コンベアの設備構成体を配置するための芯出しを行うことができる。【選択図】      図２
2005154062.tif 000002
【特許請求の範囲】
【請求項１】
乗客コンベアのフレーム又はガイドレール間に設置される上階側駆動軸及び下階側従動軸の少なくとも一方の軸の両端部を抱え込むように取付けられ、かつレーザー水平器を設置するために、水平器設置台を備えた上板を支持する冶具本体フレームで構成され、前記乗客コンベアの設備構成体を据え付けるための芯出しに用いることを特徴とする乗客コンベアの芯出し冶具。
【請求項２】
請求項１に記載の乗客コンベアの芯出し冶具において、
前記冶具本体フレームに支持される上板に、芯出し冶具自体の水平・垂直を確認するための水準器を設けたことを特徴とする乗客コンベアの芯出し冶具。
【請求項３】
請求項１に記載の乗客コンベアの芯出し冶具において、
前記冶具本体フレームに支持される上板に左右スライド機構及び上下スライド機構を介して前記水平器設置台が取付けられ、これら左右スライド機構及び上下スライド機構をスライドさせながら、前記水平器設置台に設置されるレーザー水平器の左右位置及び上下位置を微調整することを特徴とする乗客コンベアの芯出し冶具。
【請求項４】
請求項１又は請求項３に記載の乗客コンベアの芯出し冶具において、
前記上板と前記冶具本体フレームとは溝による嵌め込み式とし、かつ前記左右スライド機構及び上下スライド機構を含めて分解可能な構成としたことを特徴とする乗客コンベアの芯出し冶具。
【請求項５】
請求項１ないし請求項３の何れか一項に記載の乗客コンベアの芯出し冶具において、
前記水平器設置台を備えた上板を支持する冶具本体フレームの姿勢を安定化させるために、前記乗客コンベアのフレームからコンベア進行方向に伸びる固定支え部材を前記上板に接続したことを特徴とする乗客コンベアの芯出し冶具。
【請求項６】
請求項１ないし請求項３の何れか一項に記載の乗客コンベアの芯出し冶具において、
前記上階側駆動軸及び下階側従動軸の少なくとも一方の軸の両端部を抱え込んで取付け可能とするために前記冶具本体フレームの脚部側には、軸径の異なる前記軸を抱え込む異なるサイズのアダプターを着脱可能に取付けることを特徴とする乗客コンベアの芯出し冶具。
【請求項７】
請求項３に記載の乗客コンベアの芯出し冶具において、
前記上下スライド機構にワーキングバーを設置可能としたことを特徴とする乗客コンベアの芯出し冶具。
【請求項８】
乗客コンベアの上階側支承部及び下階側支承部近傍にそれぞれセンターポールを立設し、これらセンターポール間にピアノ線を張設し、このピアノ線から前記乗客コンベアの設備構成体を据え付けるための芯出しのための下げ振りを垂下させるステップと、
レーザー水平器を設置するために、水平器設置台を備えた上板を支持する冶具本体フレームで構成された水平器設置冶具の当該フレーム脚部側を前記乗客コンベアのフレーム又はガイドレール間に設置される上階側駆動軸及び下階側従動軸の少なくとも一方の軸の両端部を抱え込むように取付けるステップと、
このピアノ線から垂下させる下げ振りにより設定されるセンターラインと前記レーザー水平器に付されるセンターラインとを一致させるステップと、
前記レーザー水平器から放射されるレーザ光の垂直ライン及び所定高さとなる水平ラインに合わせるように調整する調整ステップとを有することを特徴とする乗客コンベアの芯出し方法。
【発明の詳細な説明】
【技術分野】
【０００１】
本発明は、乗客コンベアの新設時或いはリニューアル時に各種の設備構成体を所定位置に据え付けるために利用する乗客コンベアの芯出し冶具及びこの冶具を用いた芯出し方法に関する。
【背景技術】
【０００２】
従来、乗客を運ぶコンベアとしては、動く歩道やエスカレータなどが挙げられる。
【０００３】
既設のエスカレータでは、図１３に示すように、上階側乗降口５１の下部機械室に設置される電動機や減速機を備えた駆動装置５２、この駆動装置５２から駆動チェーン５３を介して回転可能に設置される駆動軸５４、下階側乗降口５５の下部に設置される従動軸５６、この駆動軸５４と従動軸５６とに掛け渡された踏段チェーン５７、この踏段チェーン５７に無端状に接続された踏段５８、この踏段５８をガイドするガイドレール（図示せず）、両側部に配置される欄干５９、この欄干５９に掛け渡され、踏段５８と同期して移動するハンドレール６０、欄干５９の下方に設けられる内デッキ６１及び外デッキ６２などが設けられ、これら各種の設備構成体は本体フレーム６３に支持されている。
【０００４】
ところで、以上のような構成を有するエスカレータのリニューアル時、各種の設備構成体の配置の基準位置等を定めるため、図１４に示すように上階側及び下階側に横たわる既設エスカレータのフレーム６３間或いは既設のガイドレール間等にワーキングバー７１を横架させた後、当該本体フレーム６３間を測定してワーキングバー７１上に作業基準点（ＷＰ）を設定した後、下階のワーキングバー７１上の作業基準点（ＷＰ）から上階のワーキングバー７１上の作業基準点（ＷＰ）かけてピアノ線７２を張設し、さらに既設エスカレータの上階側フレーム６３から所定高さＨとなる上階のワーキングバー７１上の作業基準点（ＷＰ）から水平にピアノ線７２を張設させて作業基準線（ＷＬ）を設置する。また、下階側も同様に作業基準線（ＷＬ）を設置する。
【０００５】
さらに、上階と下階の既設エスカレータのフレーム６３中心部に所定の高さの支柱７３，７３を立てた後、これら２つの支柱７３、７３にわたってピアノ線７４を張り渡した後、このピアノ線７４から下げ振り７５を垂下し、中心線（ＣＬ）を設定する等の作業を行い、これら作業基準線（ＷＬ）からの距離や下げ振り７５の吊下げ位置等を利用し、既設フレーム６３などに各種の設備構成体を取付ける作業を行っている（特許文献１）。
【特許文献１】特開平６−１５６９５９号公報
【発明の開示】
【発明が解決しようとする課題】
【０００６】
ところで、以上のように既設のフレーム或いは既設のガイドレール等を利用して中心線（ＣＬ）、作業基準点（ＷＰ）、作業基準線（ＷＬ）を設置する場合、既設のフレームが経年的に受ける荷重によって変形している恐れがある。この既設のフレームが変形している場合は、設計図上で決定された基準位置と既設のエスカレータに実際に存在する基準位置とがずれていると考えられる。
【０００７】
そこで、変形が生じている恐れのある既設のフレームや既設のガイドレールを利用することなく、リニューアルする設備構成体を良好に配置するための芯出し冶具及び芯出し方法の開発が望まれている。
【０００８】
また、従来の芯出し方法では、作業基準点（ＷＰ）や作業基準線（ＷＬ）を設置するのに非常に多くの時間を要し、また精度よく作業基準点（ＷＰ）や作業基準線（ＷＬ）を設置する場合にはそれなりの能力が必要であり、簡単、かつ短時間による芯出し作業が難しい状況にある。
【０００９】
本発明は上記事情に鑑みてなされたもので、フレームやガイドレールの変形、摩耗等の経年変化に影響されず、簡単、かつ短時間に各設備構成体を据え付けるための芯出しを行い得る乗客コンベアの芯出し冶具及びこの冶具を用いた芯出し方法を提供することを目的とする。
【課題を解決するための手段】
【００１０】
（１）  上記課題を解決するために、本発明に係る乗客コンベアの芯出し冶具は、乗客コンベアのフレーム又はガイドレール間に設置される上階側駆動軸及び下階側従動軸の少なくとも一方の軸の両端部を抱え込むように取付けられ、かつレーザー水平器を設置するために、水平器設置台を備えた上板を支持する冶具本体フレームで構成され、前記乗客コンベアの設備構成体を据え付けるための芯出しに用いることにより、従来のように経年的に受ける荷重により変形したフレームや摩耗するガイドレールの変形・摩耗に影響されることなく、駆動軸及び下階側従動軸を基準として芯出し冶具を設置し、レーザー水平器を用いて精度よく芯出しを行うことが可能となる。
【００１１】
（２）  また、本発明は、前記（１）の構成に新たに、前記冶具本体フレームに支持する上板に、芯出し冶具自体の水平・垂直を確認するための水準器を設けることにより、コンベアの設備構成体を据え付けるための芯出しに利用するレーザー水平器を設置するための芯出し冶具を上階側駆動軸及び下階側従動軸に簡単、かつ精度よく設置することが可能である。
【００１２】
（３）  また、本発明は、前記（１）の構成に新たに、冶具本体フレームに支持する上板に左右スライド機構を介して当該機構の上部スライドテーブルに上下スライド機構を介して前記水平器設置台を取付けるようにすれば、微妙な調整を必要とするレーザー水平器の左右・上下の位置調整作業を容易に行うことができる。
【００１３】
（４）  さらに、本発明に係る乗客コンベアの芯出し冶具は、上板と冶具本体フレームとは溝による嵌め込み式とし、かつ前記左右スライド機構及び上下スライド機構を含めて分解可能な構成としたことにより、形状をコンパクト化することができ、よって持ち運びが容易であり、また実際に上階側駆動軸及び下階側従動軸に取付け作業性を向上させることが可能である。
【００１４】
（５）  さらに、本発明に係る乗客コンベアの芯出し冶具は、前記（１）ないし（３）の構成要素に新たに、水平器設置台を備えた上板を支持する冶具本体フレームの姿勢を安定化させるために、前記コンベアのフレームからコンベア進行方向に伸びる固定支え部材を前記上板に接続することにより、円形で安定しずらい上階側駆動軸及び下階側従動軸の上部であっても、冶具を安定、かつ確実に固定することが可能である。
【００１５】
（６）  さらに、本発明に係る乗客コンベアの芯出し冶具は、前記（１）ないし（３）の構成要素に新たに、前記上階側駆動軸及び下階側従動軸の少なくとも一方の軸の両端部を抱え込む前記冶具本体フレームの脚部側には、軸径の異なる前記軸を抱え込む異なるサイズのアダプターを着脱可能に取付ける構成とすれば、アダプターを交換するだけで軸径の異なる上階側駆動軸及び下階側従動軸に容易、かつ安価に設置することが可能である。
【００１６】
（７）  さらに、本発明に係る乗客コンベアの芯出し冶具は、前記（３）の構成要素に新たに、水平器設置台上部にワーキングバーを設置可能にすれば、簡単にワーキングバーを設置し、従来と同様にピアノ線を用いて寸法測定作業を実施することが可能である。
【００１７】
（８）  本発明に係る乗客コンベアの芯出し方法は、乗客コンベアの上階側支承部及び下階側支承部近傍にそれぞれセンターポールを立設し、これらセンターポール間にピアノ線を張設し、このピアノ線から前記乗客コンベアの設備構成体を据え付けるための芯出しのための下げ振りを垂下させるステップと、レーザー水平器を設置するために、水平器設置台を備えた上板を支持する冶具本体フレームで構成された水平器設置冶具の当該フレーム脚部側を前記乗客コンベアのフレーム又はガイドレール間に設置される上階側駆動軸及び下階側従動軸の少なくとも一方の軸の両端部を抱え込むように取付けるステップと、このピアノ線から垂下させる下げ振りにより設定されるセンターラインと前記レーザー水平器に付されるセンターラインとを一致させるステップと、前記レーザー水平器から放射されるレーザ光の垂直ライン及び所定高さとなる水平ラインに合わせるように調整する調整ステップとを有するものである。
【００１８】
このような芯出し方法によれば、ワーキングバーを正確に設置したり、ワーキングバーによるピアノ線による水平基準線を設置する必要がない上、設備構成体を据え付けるための下げ振りによる煩わしい寸法測定作業を少なくでき、測定作業時間の短縮及び測定能力を必要とせずに芯出し作業を進めることが可能である。
【発明の効果】
【００１９】
本発明は、経年変化による変形、摩耗等を伴うフレームやガイドレールを利用することなく、簡単、かつ短時間に各設備構成体を据え付けるための芯出しを行うことができる乗客コンベアの芯出し冶具及びこの冶具を用いた芯出し方法を提供できる。
【発明を実施するための最良の形態】
【００２０】
以下、本発明の実施の形態について図面を参照して説明する。
【００２１】
（第１の実施の形態）
図１ないし図４は本発明に係る乗客コンベアの芯出し冶具の一実施の形態を説明する図である。なお、図１は乗客コンベアにおける上階側の駆動装置、駆動軸等の設置付近を示す図、図２は図１のＸ−Ｘ矢印方向から見た断面図、図３はレーザ水平器設置冶具取付け部分の詳細図、図４は図３のＺ方向から見た図である。
【００２２】
これらの図において、１は各設備構成体が取付けられる乗客コンベアのフレームであって、このフレーム１，１間にそれぞれ軸受２を介して駆動軸３が水平に設置され、この駆動軸３両側の駆動軸機械加工面４から当該駆動軸３の上部中央に向かって水平器設置冶具５が取付けられている（図２参照）。
【００２３】
この水平器設置冶具５は、図３に示すごとく、上側から駆動軸機械加工面４を抱込むように下側開口部を有する軸抱込み体６と、駆動軸機械加工面４を抱込んだ軸抱込み体６に対して駆動軸下側からねじ止め７により固定する浮上がり防止サポート８と、駆動軸３両側の駆動軸機械加工面４に取付けた両軸抱込み体６から形成された冶具本体フレーム９と、この冶具本体フレーム９の上部に支持される上板１０とで構成されている。
【００２４】
この水平器設置冶具５は、駆動軸機械加工面４に密着させることにより、駆動軸中心或いは従動軸中心から所定高さとなる規定寸法（縦方向寸法）Ａが出るように管理され、かつ製作されている。この規定寸法Ａは例えば図１４に示すフレーム６３からの所定高さＨに相当する高さであると言える。
【００２５】
そして、水平器設置冶具５を構成する上板１０には、レーザー水平器１１の他に、水平器設置冶具５自体の水平・垂直を確認するための水準器１２が設置されている。また、水平器設置冶具５の上板１０には当該冶具５を固定するための乗客コンベアの進行方向に固定支え部材１３が取付けられ、この固定支え部材１３とフレーム１に取付けられた横梁１４などにねじ止めされる中継部材１５とがボルト１６によって固定されている。１７はスプロケットである。
【００２６】
従って、以上のような構成によれば、駆動軸３両側の駆動軸機械加工面４に水平器設置冶具５を取付けた後、水準器１２を用いて水平器設置冶具５自体が水平・垂直に設定されているか否かを確認し、水平器設置冶具５を最適な状態に設定する。レーザー水平器１１を用いることにより、従来のようにピアノ線による水平な作業基準線（ＷＬ）を設置する必要もなくなる。つまり、従来のように水平な作業基準線（ＷＬ）を得るためのピアノ線を設置したり、ピアノ線７２を設置するためのワーキングバー７１（図１４参照）を無くすことができるとともに、基準設置のために何度も測定作業を繰り返す必要がなくなる。
【００２７】
本実施の形態では、駆動軸３両側の駆動軸機械加工面４に短時間に基準となるレーザー水平器１０を設置するための水平器設置冶具５を取付でき、作業基準点（ＷＰ）、作業基準線（ＷＬ）を設置するために何度も測定を繰り返す作業を省略でき、作業基準点（ＷＰ）や作業基準線（ＷＬ）などの設置能力を必要とせずに芯出し作業を実施できる。
【００２８】
（第２の実施の形態）
図５及び図６は本発明に係る乗客コンベアの芯出し冶具の他の実施の形態を説明する図であって、特にレーザー水平器１１の調整に関する技術である。なお、図５は上階側フレーム１に横架された駆動軸３の上部に配置するように取付けた水平器設置冶具５の上部詳細構成を示す図、図６は図５の側面図である。
【００２９】
この水平器設置冶具５は、冶具本体フレーム９に支持される上板１０に左右方向にスライド可能な左右スライド機構部２１が取付けられている。この左右スライド機構部２１両側又は片側から所定距離離れた位置に調整支持板２２が立設され、この調整支持板２２に形成されるねじ孔部に螺進可能に左右方向調整ねじ体２３が螺合され、この左右方向調整ねじ体２３を回転させることにより、左右スライド機構部２１の上部側テーブルを左右方向にスライドさせる構成となっている。２４は左右調整位置を固定するロックナットである。
【００３０】
また、左右スライド機構部２１の上部側テーブルにレーザー水平器１１を設置するための水平器設置台２５が取付けられている。この水平器設置台２５は、所定の距離を隔てて２枚のＬ字状板体２５ａ，２５ｂからなり、下位側のＬ字状板体２５ａは左右スライド機構部２１の上部側テーブルに取付けられ、上位側のＬ字状板体２５ｂにはレーザー水平器１１が設置され、さらに２枚のＬ字状板体２５ａ，２５ｂの上下方向の対峙面には上下方向にスライド可能な上下スライド機構部２６が取付けられている。
【００３１】
そして、下位側のＬ字状板体２５ａに水平面側にねじ孔部が形成され、このねじ孔部に螺進可能に上下方向調整ねじ体２７が螺合され、この上下方向調整ねじ体２７を回転させることにより、上下スライド機構部２６が上下方向にスライドさせる構成となっている。２８は上下調整位置を固定するロックナットである。
【００３２】
この水平器設置冶具５においては、冶具本体フレーム９に支持される上板１０とは独立した状態で左右及び上下方向に位置調整可能な構成となっている。つまり、レーザー水平器１１の左右位置調整は、左右方向調整ねじ体２３を回転させつつ左右スライド機構部２１を左右方向にスライドさせることにより、左右所定位置に設定でき、この設定後には該当するロックナット２４にて固定する。また、レーザー水平器１１の上下位置調整は、上下方向調整ねじ体２７を回転させつつ上下スライド機構部２６を上下方向にスライドさせることにより、上下所定位置に設定でき、この設定後には該当するロックナット２８にて固定する。２９はレーザー水平器１１から放射されるレーザー光の垂直ライン、３０はレーザー水平器１１から放射されるレーザー光の水平ラインを示す。
【００３３】
従って、以上のような実施の形態によれば、駆動軸３や従動軸などに前述するように水平器設置冶具５を迅速、かつ簡単に取付けできるとともに、この水平器設置冶具５の上部に取付けるレーザー水平器１１を用いて、左右スライド機構部２１及び上下スライド機構部２６を用いて、レーザー水平器１１から放射されるレーザー光の光路を左右・上下の所定位置に簡単、かつ正確に調節しつつ設定できる。
【００３４】
（第３の実施の形態）
次に、以上のような水平器設置冶具（芯出し冶具）５を用いた乗客コンベアの芯出し方法について図７及び図８を参照して説明する。
【００３５】
（１）  先ず最初に、図７に示すように、乗客コンベアを構成するフレーム１の上階側支承材部及び下階側支承部材の近傍にそれぞれセンターポール３１，３１を立て、これらセンターポール３１，３１間にピアノ線３２を張設した後、このピアノ線３２から下げ振り３３を垂下させる。この状態においては、ピアノ線３２から例えば２つの下げ振り３３を垂下させれば、この２つの下げ振り３３を見通すラインはセンターラインとなっている。
【００３６】
（２）  次に、図８に示すごとく、ピアノ線３２から垂下される下げ振り３３を利用し、上階側の駆動軸４又は下階側の従動軸の両側スプロケット１７−１７間のセンターに位置合わせする。
【００３７】
（３）  さらに、駆動軸４などに設置される水平器設置冶具５に関し、予め水平器設置冶具５に付されているセンターライン（図示せず）とスプロケット１７−１７間のセンターラインとを一致させる。
【００３８】
（４）  この状態において、水平器設置冶具５の上部に設置される水準器１２を用いて、当該水平器設置冶具５の水平度を調整する。
【００３９】
（５）  この水平度の調整後、固定支え部材１３及び浮上がり防止サポート８を利用し、水平器設置冶具５をフレーム１に取付けられた横梁１４や駆動軸３に固定する。
【００４０】
（６）  しかる後、図５及び図６に示すように、水平器設置冶具５にレーザー水平器１１を設置し、前述する（２）によって合わせたセンタラインとレーザー水平器１１から放射されるレーザー光の垂直ライン２９とを左右方向調整ねじ体２３を調整しつつ一致させる。次に、駆動軸３或いは従動軸の機械加工面４からレーザー水平器１１から放射されるレーザー光の水平ライン３０までの高さ（図２のＡに相当）を測定しながら、上下方向調整ねじ体２７にて調整しながら合わせていく。
【００４１】
この結果、水平器設置冶具５に設置されるレーザー水平器１１から放射されるレーザー光の垂直ライン２９によりセンターラインを設定でき、また当該レーザー水平器１１から放射されるレーザー光の水平ライン３０により所定の高さ位置Ａを設定できる。
【００４２】
（第４の実施の形態）
図９は本発明に係る乗客コンベアの芯出し冶具の他の実施の形態を説明する図である。なお、同図において図５及び図６と同一部分には同一符号を付し、その詳しい説明は図５及び図６に譲る。
【００４３】
この実施の形態は、水平器設置冶具５自体を分解可能な構成にし、持ち運びや取り扱いが容易にする例である。
【００４４】
この水平器設置冶具５は、具体的には、上板１０の底部に支持溝が形成され、冶具本体フレーム９が上板１０底部の支持溝に嵌め込み式となっている。
【００４５】
従って、以上のような構成によれば、比較的大きな水平器設置冶具５を分解してコンパクトに持ち運び可能となるので、非常に運搬がし易くなる。また、水平器設置冶具５の実際の使用に当たっても、大きな水平器設置冶具５をそのまま使う場合には各種の設備構成体に干渉したり、非常に取り扱いが不便なものとなるが、分解構造とすることにより、以上の問題を解消できる。
【００４６】
（第５の実施の形態）
図１０及び図１１は本発明に係る乗客コンベアの芯出し冶具の他の実施の形態を説明する図である。なお、図１０は上階側乗降口の下部機械室に設置される駆動軸３に取付けられた水平器設置冶具５の取付け部分を詳細に示す図、図１１は図１０のＹ−Ｙ矢視断面図である。
【００４７】
この実施の形態は、水平器設置冶具５を各種の軸径の軸体に取り付け可能とする例である。
【００４８】
すなわち、この水平器設置冶具５は、駆動軸４への取付け側脚部となる軸抱込み体６に対して下側開口部を有するアダプター３６をボルト３７にて３ヶ所で締め付け固定されている。このアダプター３６には、駆動軸３への取付け位置を確定するための直角部が形成され（図１１参照）、水平器設置冶具５の軸抱込み体６の機械加工面である段差６ａとアダプター３６の直角部とを密着させることにより、アダプター３６の位置を拘束する構造となっている。
【００４９】
従って、このような実施の形態によれば、水平器設置冶具５を取付ける例えば駆動軸３，４等の軸径がそれぞれ異なる場合でも、サイズの異なるアダプター３６を交換するだけで、各種の軸径に対応することができる。
【００５０】
よって、サイズの異なるアダプター３６だけを揃えておけば、各種の軸径の軸に対応でき、個別的な水平器設置冶具５を作成する必要がなく、経済的な観点から安価に利用できる。
【００５１】
（第６の実施の形態）
図１２は本発明に係る乗客コンベアの芯出し冶具の他の実施の形態を説明する図である。
【００５２】
この実施の形態は、水平器設置冶具５にさらに簡易なワーキングバーを設置する構成とした例である。
【００５３】
水平器設置冶具５は、上下スライド機構部２６を挟んで２枚のＬ字状板体２５ａ，２５ｂからなる水平器設置台２５が取付けられ、この水平器設置台２５にはレーザー水平器１１（図示せず）が設置されているが、さらに水平器設置台２５の上部側のＬ字状板体２５ｂの上端部にＬ字状の取付けサポート４１がねじ止めされ、この取付けサポート４１の水平面部に簡易ワーキングバー４２が設置されている。なお、取付けサポート４１には段付き加工部４１ａが形成され、この段付き加工部４１ａに簡易ワーキングバー４２が密着するように取付ければ、簡易ワーキングバー４２の取付け位置を拘束することができる。この簡易ワーキングバー４２上にピアノ線（図示せず）を張設すれば、従来と同様に作業基準線（ＷＬ）を設置することができる。
【００５４】
この簡易ワーキングバー４２の左右方向及び上下方向の調整は、左右スライド機構部２１及び上下スライド機構部２６を利用することにより、簡単にワーキングバー４２の左右・上下の位置を調整することが可能である。
【００５５】
従って、以上のような実施の形態によれば、どうしてもピアノ線等を利用して寸法測定作業を行いたい場合、有り余りの部材等の代用によらず、専用のワーキングバー４２を利用し、簡単、かつ正確に寸法測定作業を行うことができる。
【００５６】
その他、本発明は、上記実施の形態に限定されるものでなく、その要旨を逸脱しない範囲で種々変形して実施できる。
【００５７】
また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００５８】
【図１】本発明に係る乗客コンベアの上階側の駆動軸部分に設置される芯出し冶具の一実施の形態を示す側面図。
【図２】図１に示すＸ−Ｘ矢視断面図。
【図３】本発明に係る乗客コンベアの上階側の駆動軸部分に設置される芯出し冶具の取付け部詳細を説明する図。
【図４】図３に示す芯出し冶具の取付け部詳細のＺ方向から見た図。
【図５】本発明に係る乗客コンベアの芯出し冶具の他の実施の形態を示す冶具正面方向拡大図。
【図６】図５に示す乗客コンベアの芯出し冶具の側面方向から見た図。
【図７】本発明に係る乗客コンベアの芯出し方法の一実施の形態を説明する図。
【図８】本発明に係る乗客コンベアの芯出し方法におけるセンターライン決定方法を説明する図。
【図９】本発明に係る乗客コンベアの芯出し冶具のさらに他の実施の形態を示す冶具正面方向拡大図。
【図１０】本発明に係る乗客コンベアの芯出し冶具の軸取付け簡略例を説明する図。
【図１１】図１０に示すＹ−Ｙ矢視断面図。
【図１２】本発明に係る乗客コンベアの芯出し冶具のさらに他の実施の形態を示す冶具側面方向から見た図。
【図１３】従来の一般的な乗客コンベアであるエスカレータの概略構成を示す図。
【図１４】従来の乗客コンベアの芯出し方法を説明する図。
【符号の説明】
【００５９】
１…フレーム、３…駆動軸、４…駆動軸機械加工面、５…水平器設置冶具、６…軸抱込み体、８…浮上がり防止サポート、９…冶具本体フレーム、１０…上板、１１…レーザー水平器、１２…水準器、１３…固定支え部材、１７…スプロケット、２１…左右スライド機構部、２３…左右方向調整ねじ体、２５…水平器設置台、２６…上下スライド機構部、２７…上下方向調整ねじ体、２９…垂直ライン、３０…水平ライン、３１…センターポール、３２…ピアノ線、３３…下げ振り、３６…アダプター、４１…取付けサポート、４２…簡易ワーキングバー。
【図１】
2005154062.tif 000003
【図２】
2005154062.tif 000004
【図３】
2005154062.tif 000005
【図４】
2005154062.tif 000006
【図５】
2005154062.tif 000007
【図６】
2005154062.tif 000008
【図７】
2005154062.tif 000009
【図８】
2005154062.tif 000010
【図９】
2005154062.tif 000011
【図１０】
2005154062.tif 000012
【図１１】
2005154062.tif 000013
【図１２】
2005154062.tif 000014
【図１３】
2005154062.tif 000015
【図１４】
2005154062.tif 000016